(57)【要約】      （修正有）【課題】リール本体の上下方向の小型化を図りつつ、スプール軸を中心とする摺動子の回転方向のガタ付きを精度良く効果的に抑制できる魚釣用スピニングリールを提供する。【解決手段】魚釣用スピニングリールでは、スプール軸１５に対して竿装着部と反対側の下方領域において、螺軸４１、係合子４３ａ、及び、ガイド軸４５のそれぞれは、駆動軸７に沿う方向視Ｒで互いに上下方向で少なくとも部分的に重なり合ように位置され、ガイド軸４５の少なくともその中心は、螺軸４１の中心Ｏよりも下方に位置されて、駆動軸７に沿う方向視Ｒで係合子４３ａと上下方向で重なり量Ｘ分だけ部分的に重なり合う。【選択図】図３
2019106898.tif 000002
【特許請求の範囲】
【請求項１】
上部に竿装着部を有するリール本体に回転可能に支持されたハンドルの回転操作によって回転駆動される駆動軸と、前記リール本体内に設けられ、前記駆動軸と連動回転して外周面に螺旋状の溝を有する螺軸と、釣糸が巻回されるスプールを前部に有するとともに螺旋状の前記溝に係合する係合子を収容保持する摺動子を後部に設けたスプール軸と、前記スプール軸に沿って配設され前記摺動子を移動方向に案内するガイド軸とを備える魚釣用スピニングリールにおいて、
前記スプール軸に対して前記竿装着部と反対側の下方領域において、前記螺軸、前記係合子、及び、前記ガイド軸のそれぞれは、前記駆動軸に沿う方向視で互いに上下方向で少なくとも部分的に重なり合ように位置され、
前記ガイド軸の少なくともその中心は、前記螺軸の中心よりも下方に位置されて、前記駆動軸に沿う方向視で前記係合子と上下方向で少なくとも部分的に重なり合うことを特徴とする魚釣用スピニングリール。
【請求項２】
前記摺動子は、前記駆動軸と直交する前記竿装着部側の上方から螺着されるネジ部材によって前記スプール軸に取着されることを特徴とする請求項１に記載の魚釣用スピニングリール。
【発明の詳細な説明】
【技術分野】
【０００１】
本発明は魚釣用スピニングリールに関する。
【背景技術】
【０００２】
従来、魚釣用スピニングリールは、ハンドルを回転操作することで回転駆動されるロータと、釣糸が巻回され前後方向に往復駆動されるスプールとを備えた構成となっている。一般的に知られているように、前記ロータは、ハンドル軸（駆動軸）に装着されたドライブギア（駆動歯車）と噛合してハンドル軸と直交する方向に延びて回転可能に支持されるピニオンギアの前端にロータナットによって固定されることで回転駆動され、前記スプール軸は、前記ピニオンギアに挿通され、ドライブギアによって駆動される往復動装置（オシレート機構）によって前後方向に往復駆動される。
【０００３】
ハンドル回転を前後往復動に変換する前記往復動装置は、魚釣用スピニングリールのリール本体の内部に収容されており、前後往復動速度を等速にしてロングストローク化を可能にすることから、一般に螺軸方式が従来から広く採用されている（例えば、特許文献１〜特許文献４参照）。
【０００４】
この螺軸方式の往復動装置は、リール本体内に回転可能に支持されてスプール軸と平行に延びる螺軸と、スプール軸の後端部に固定される摺動子とを備える。螺軸の前端部には、ピニオンギアと噛合するオシレートギアが設けられており、また、螺軸の周面には、軸方向に沿って螺旋状のカム溝が形成されており、このカム溝に、摺動子に収容保持された係合子の係合爪が係合されている。したがって、ハンドルを回転操作すると、ドライブギア、ピニオンギア、及び、オシレートギアを介して螺軸が回転駆動されるとともに、螺軸に係合する摺動子を介してスプール軸が前後に往復動される。
【０００５】
なお、前後に往復動する摺動子は、スプール軸方向に沿って配設されるガイド軸（ピラー）によって支持されることにより、その移動が案内される。
【先行技術文献】
【特許文献】
【０００６】
【特許文献１】特開２０００−３１６４３１号
【特許文献２】実開平５−３４８６２号
【特許文献３】特開平１０−１０８５９９号
【特許文献４】特開２００３−２２５０４０号
【発明の概要】
【発明が解決しようとする課題】
【０００７】
ところで、摺動子を支持してその移動を案内する前記ガイド軸は、摺動子のガタ付き及び傾きを抑制して摺動子を前後方向にスムーズに案内するためにスプール軸の下方側で摺動子に嵌入されているが、前述した特許文献１及び特許文献２では、螺軸に係合する係合子の下方でガイド軸が案内支持されているため、そのガイド軸の支持部を確保する分だけリール本体が上下方向に長くなり、リール本体が大型化して重量化する。
【０００８】
一方、前述した特許文献３では、スプール軸の下方のガイド軸が螺軸に係合する係合子とスプール軸との間に設けられているため、ガイド軸の支持スペース分だけスプール軸と係合子との間で延びる摺動子の長さが長くなり、リール本体が上下方向で大型化するとともに重量化する。また、この配置関係では、スプール軸にガイド軸が近づくため、摺動子を円滑に案内支持しながらスプール軸を中心とする摺動子の回転方向のガタ付きを効果的に抑制できない。
【０００９】
また、前述した特許文献４には、スプール軸の下方領域において、螺軸に係合する係合子の側方にガイド軸を配設した構成が開示されているが、スプール軸にガイド軸が近接する配置構成となるため、スプール軸を中心とする摺動子の回転方向のガタ付きを精度良く効果的に抑制できない。また、この構成では、スプール軸に摺動子を一体化させるネジ部材をハンドル軸に沿う方向から取着しなければならないため、ドライブギア（歯面）との干渉回避等を考慮すると、リール本体を幅方向で厚く大型化せざるを得なくなる。
【００１０】
本発明は、上記した問題に着目してなされたものであり、リール本体の上下方向の小型化を図りつつ、スプール軸を中心とする摺動子の回転方向のガタ付きを精度良く効果的に抑制できる魚釣用スピニングリールを提供することを目的とする。
【課題を解決するための手段】
【００１１】
上記した目的を達成するために、本発明は、上部に竿装着部を有するリール本体に回転可能に支持されたハンドルの回転操作によって回転駆動される駆動軸と、前記リール本体内に設けられ、前記駆動軸と連動回転して外周面に螺旋状の溝を有する螺軸と、釣糸が巻回されるスプールを前部に有するとともに螺旋状の前記溝に係合する係合子を収容保持する摺動子を後部に設けたスプール軸と、前記スプール軸に沿って配設され前記摺動子を移動方向に案内するガイド軸とを備える魚釣用スピニングリールにおいて、前記スプール軸に対して前記竿装着部と反対側の下方領域において、前記螺軸、前記係合子、及び、前記ガイド軸のそれぞれは、前記駆動軸に沿う方向視で互いに上下方向で少なくとも部分的に重なり合ように位置され、前記ガイド軸の少なくともその中心は、前記螺軸の中心よりも下方に位置されて、前記駆動軸に沿う方向視で前記係合子と上下方向で少なくとも部分的に重なり合うことを特徴とする。
【００１２】
上記構成の魚釣用スピニングリールによれば、スプール軸に対して竿装着部と反対側の下方領域において、螺軸、係合子、及び、ガイド軸のそれぞれが駆動軸に沿う方向視で互いに上下方向で少なくとも部分的に重なり合ように位置されるため、リール本体の上下方向の小型化を図ることができるとともに、スプール軸にガイド軸が近づかないようにガイド軸の少なくともその中心が螺軸の中心よりも下方に位置されるため、スプール軸を中心とする摺動子の回転方向のガタ付きを精度良く効果的に抑制できる。しかも、ガイド軸が駆動軸に沿う方向視で係合子と上下方向で少なくとも部分的に重なり合うようになっているため、すなわち、ガイド軸が係合子の下方に離間配置されないため、リール本体が上下方向で大型化することを防止できる。つまり、上記構成によれば、各構成要素の効果的な配置により、限られたスペース内で、２つの目的、すなわち、リール本体の上下方向の小型化を図るという目的と、スプール軸を中心とする摺動子の回転方向のガタ付きを精度良く効果的に抑制するという目的とを同時に果たすことができる。
【００１３】
なお、上記構成において、摺動子は、駆動軸と直交する竿装着部側の上方から螺着されるネジ部材によってスプール軸に取着されることが好ましい。このような構成によれば、ドライブギア（歯面）との干渉回避等を考慮する必要もなく、リール本体の幅方向の大型化を回避できる（リール本体の幅狭化を実現できる）
【発明の効果】
【００１４】
本発明によれば、リール本体の上下方向の小型化を図りつつ、スプール軸を中心とする摺動子の回転方向のガタ付きを精度良く効果的に抑制できる魚釣用スピニングリールが得られる。
【図面の簡単な説明】
【００１５】
【図１】本発明の一実施形態に係る魚釣用スピニングリールを側面から見た図であり、要部を切り欠いた部分断面図である。
【図２】図１の要部拡大図である。
【図３】図２のＣ−Ｃ線に沿う断面図である。
【図４】図２のＤ−Ｄ線に沿う断面図である。
【図５】図２のＢ−Ｂ線に沿う断面図である。
【図６】図２のＡ−Ａ線に沿う断面図である。
【発明を実施するための形態】
【００１６】
以下、添付図面を参照しながら、本発明の一実施形態に係る魚釣用スピニングリールについて具体的に説明する。
本実施形態に係る魚釣用スピニングリール（以下、リールと称する）１のリール本体１Ａには、釣竿に装着されて先端に竿装着部２Ａを形成したリール脚２が一体形成されており、その前方には、回転可能に支持されたロータ３と、ロータ３の回転運動と同期して前後動可能に支持されるとともに釣糸が巻回されるスプール５とが配設されている。
【００１７】
前記ロータ３は、スプール５の周囲を回転する一対の腕部３ａを備えており、各腕部３ａの夫々の前端部には、ベール３ｂの基端部を取り付けたベール支持部材３ｃが釣糸巻き取り位置と釣糸放出位置との間で回動自在に支持されている。この場合、ベール３ｂの一方の基端部は、ベール支持部材３ｃに一体的に設けられた釣糸案内部（ラインローラ）３ｄに取り付けられている。
【００１８】
また、本実施形態のロータ３は、ロータ３の後端側がリール本体１Ａの前端側の円筒収容部１Ｂに軸方向で重なるように配設されており、その後端面（底面）３Ａはリール本体１Ａ（円筒収容部１Ｂ）の外面との間で径方向に一定の隙間を生じさせた状態で回転駆動するようになっている。
【００１９】
図３に示すように、リール本体１Ａ内には、ハンドル軸（駆動軸）７が一対の軸受け７ａ，７ｂを介して回転可能に支持されており、その突出端部には、ハンドル７ｃが取り付けられている。前記ハンドル軸７は、リール本体１Ａの両サイドから突出するように支持されており、ハンドル７ｃは、公知のように、いずれか一方（右側巻き／左側巻き）に装着され、ハンドルを装着しない側のハンドル軸には、キャップ７ｄが取着されるようになっている。
【００２０】
前記ハンドル軸７には、巻き取り駆動機構が係合しており、この巻き取り駆動機構は、ハンドル軸７に一体回転可能に装着された駆動ギア（ドライブギア）８と、この駆動ギア８に噛合するピニオン歯部１０ａを具備してハンドル軸７と直交する方向に延出し且つ内部に軸方向に延在する空洞部が形成された回転駆動軸（駆動部）としてのピニオン１０とを備えている。
【００２１】
前記ピニオン１０は、ピニオン歯部１０ａの前側と後側とがそれぞれ、リール本体１Ａの支持部に嵌合支持された一対の軸受１２ａ，１２ｂにより、リール本体１Ａ内に回転可能に支持されている。また、ピニオン１０はスプール５側に向けて延出しており、ピニオン１０の先端部にはロータ３がロータナットを介して一体回転可能に取り付けられている。
【００２２】
前記ピニオン歯部１０ａの前側に配置した軸受１２ａの前方側のピニオン１０上には、逆転防止装置を構成する一方向クラッチ２１が取り付けられており、リール本体１Ａの外部に設けられた切換操作部３０を回動操作することで、ハンドル（ロータ３）の釣糸繰出し方向の逆回転を防止するようになっている。
すなわち、切換操作部３０を回動操作することで、ロータ３を逆転防止状態（逆転防止装置のＯＮ状態）と、逆回転可能状態（逆転防止装置のＯＦＦ状態）の切り換えができるように構成されている。
【００２３】
前記ピニオン１０の内部に形成された空洞部には、ハンドル軸７と直交する方向に延出し、先端側（前部）にスプール５を装着したスプール軸１５が軸方向に移動可能に挿通されている。前記スプール軸１５は、ピニオン１０に連結されるギアトレインを介して駆動されるスプール往復動装置４０によって前後に往復動される。
【００２４】
前記スプール往復動装置４０は、前記スプール軸１５と平行となるようにリール本体内にハンドル軸７と連動回転可能に支持され、外周面に螺旋状の溝（以下、螺旋溝という）４１ａが形成された螺軸４１と、前記螺旋溝４１ａに係合する係合子としての例えば係合ピン４３ａを収容保持し、前記スプール軸１５の後端（後部）にネジ部材としての例えばビス４３を介して固定された摺動子（スライダ）４４と、スプール軸１５に沿って配設され摺動子４４を移動方向に案内（前後方向に摺動案内）するガイド軸４５とを備えている（図３では、摺動子４４の位置が図２の断面線Ｃ−Ｃの位置に前方側に移動したものとして示されている）。ここで、摺動子４４は、ハンドル軸７と直交する竿装着部２Ａ側の上方から螺着される前記ビス４３によってスプール軸１５に取着されている。
【００２５】
なお、図３に示されるように、摺動子４４には、ガイド軸４５以外に、摺動子４４の回り止めを主な機能（ピニオン１０内での１点支持の場合に、回り止め用として機能）とするサブガイド軸４５Ａも係合ピン４３ａの上方に位置して嵌挿されているが、このサブガイド軸４５Ａは、スプール軸１５の支持構造によって変わるもので、本実施形態の構成としては必須のものではない。
【００２６】
また、スプール往復動装置４０は、図６に示すように、前記駆動ギア８によって回転駆動されるピニオン１０の歯部１０ａと噛合する動力伝達ギア（ギアトレイン）４７を備えている。本実施形態の動力伝達ギア４７は、二段ギアとして構成されており、ピニオンの歯部１０ａと噛合する大径ギア４７ａと、大径ギアに併設される小径ギア４７ｂとを備えており、この小径ギア４７ｂが前記螺軸４１の端部に固定された入力ギア４１ｂに噛合することで、ハンドル軸７の回転駆動が減速されて前記螺軸４１に伝達される。
【００２７】
上記した構成により、ハンドル７ｃを巻き取り操作すると、駆動ギア８及びピニオン１０を介してロータ３が回転駆動される共に、駆動ギア８、ピニオン１０、動力伝達ギア（二段ギア）４７、入力ギア４１ｂを介して螺軸４１が減速して回転駆動され、摺動子４４に固定されたスプール軸１５（スプール５）が前後方向に往復動される。したがって、釣糸は、回転駆動されるロータ３の釣糸案内部３ｄを介してスプール５に均等に巻回されるようになる。
【００２８】
また、本実施形態では、特に図３に明確に示されるように、スプール軸１５に対して竿装着部２Ａと反対側の下方領域において、螺軸４１、係合ピン４３ａ、及び、ガイド軸４５のそれぞれは、ハンドル軸７に沿う方向視Ｒで互いに上下方向で少なくとも部分的に重なり合ように位置されている。特に、本実施形態では、係合ピン４３ａがガイド軸４５と螺軸４１との間で螺軸４１の側方に位置されている。また、ガイド軸４５の少なくともその中心は、螺軸４１の中心Ｏよりも下方に位置されて、ハンドル軸７に沿う方向視Ｒで係合ピン４３ａと上下方向で少なくとも部分的に重なり合っている。特に、本実施形態において、ガイド軸４５は、図３に示されるように、係合ピン４３ａの側方でスプール軸１５の下方に位置して係合ピン４３ａと上下方向で重なり量Ｘ分だけ部分的に重なり合っている。すなわち、本実施形態において、ガイド軸４５は、係合ピン４３ａの下方に離間して位置されておらず、スプール軸１５と係合ピン４３ａとの間に位置されていないとともに、螺軸４１、係合ピン４３ａ、及び、ガイド軸４５のうちで最もスプール軸１５から離れて位置されている。
【００２９】
以上説明したように、本実施形態の魚釣用スピニングリール１によれば、スプール軸１５に対して竿装着部２Ａと反対側の下方領域において、螺軸４１、係合ピン４３ａ、及び、ガイド軸４５のそれぞれがハンドル軸７に沿う方向視Ｒで互いに上下方向で少なくとも部分的に重なり合ように位置されるため、リール本体１Ａの上下方向の小型化を図ることができるとともに、スプール軸１５にガイド軸４５が近づかないようにガイド軸４５の少なくともその中心が螺軸４１の中心Ｏよりも下方に位置されるため、スプール軸１５を中心とする摺動子４４の回転方向のガタ付きを精度良く効果的に抑制できる。しかも、ガイド軸４５がハンドル軸７に沿う方向視で係合ピン４３ａと上下方向で少なくとも部分的に重なり合うようになっているため、すなわち、ガイド軸４５が係合ピン４３ａの下方に離間して配置されないため、リール本体１Ａが上下方向で大型化することを防止できる。つまり、本実施形態によれば、各構成要素４１，４３ａ，４５の効果的な配置により、限られたスペース内で、２つの目的、すなわち、リール本体１Ａの上下方向の小型化を図るという目的と、スプール軸１５を中心とする摺動子４４の回転方向のガタ付きを精度良く効果的に抑制するという目的とを同時に果たすことができる。
【００３０】
また、本実施形態において、摺動子４４は、ハンドル軸７と直交する竿装着部２Ａ側の上方から螺着されるビス４３によってスプール軸１５に取着されるため、駆動ギア８（歯面）との干渉回避等を考慮する必要もなく、リール本体１Ａの幅方向の大型化を回避できる（リール本体１Ａの幅狭化を実現できる）
【００３１】
なお、本発明は、前述した実施形態に限定されず、その要旨を逸脱しない範囲で種々変形して実施できる。例えば、前述した実施形態において、ガイド軸は、螺軸の中心よりも下方に位置されて、駆動軸に沿う方向視で係合子と上下方向で重なり量Ｘ分だけ部分的に重なり合っているが、ガイド軸を上方に更に移動させて係合子の中央側に配置し（係合子とほぼ完全に重なり合うようにして）、ガイド軸自体で係合子の抜け止めを行なってもよい。これにより、部品点数の削減及びリール本体の上下方向の小型化を図ることができる。また、前述した実施形態では、螺軸、係合子、及び、ガイド軸のそれぞれが駆動軸に沿う方向視で互いに上下方向で少なくとも部分的に重なり合ように位置されてさえいれば、螺軸、係合子、及び、ガイド軸の上下方向及び幅方向の位置関係は任意に設定でき、前述した実施形態の位置関係に限定されない。
【符号の説明】
【００３２】
１  魚釣用スピニングリール
１Ａ  リール本体
２Ａ  竿装着部
３  ロータ
５  スプール
７  ハンドル軸（駆動軸）
７ｃ  ハンドル
１０  ピニオン
１５  スプール軸
４１  螺軸
４１ａ  螺旋溝
４３  ビス（ネジ部材）
４３ａ  係合ピン（係合子）
４４  摺動子
４５  ガイド軸
【図１】
2019106898.tif 000003
【図２】
2019106898.tif 000004
【図３】
2019106898.tif 000005
【図４】
2019106898.tif 000006
【図５】
2019106898.tif 000007
【図６】
2019106898.tif 000008